(57)【要約】      （修正有）【課題】体操用補助具として使用可能であって、使い方も簡単な椅子を提供する。【解決手段】椅子１０は、着座者の臀部を載置可能な座面部１１と、座面部１１の後方に立設された背凭れ部１２と、座面部１１の後方の座面部１１より低い位置から更に後方に向かって略水平に突設された足掛けバー１３ｍを備えている。平面視形状が台形状をした座面部１１は、その四隅部分から下方に延びた４本の支持脚１４ｈ，１４ｍ，１５ｈ，１５ｍによって略水平状態に保持されている。足掛け手段である足掛けバー１３ｍは、座面部１１の後方に位置する支持脚１５ｈ，１５ｍから後方へ突設されている。隣り合う支持脚１４ｈ，１４ｍ，１５ｈ，１５ｍの間にはそれぞれ横桟１６ｈ，１６ｍ，１７ａ，１７ｂが取り付けられている。背凭れ部１２として、左右一対の支柱１８ｈ，１８ｍと、その間に配置された横框１９と、を有する。【選択図】図１
2012029911.tif 000002
【特許請求の範囲】
【請求項１】
着座者の臀部を載置可能な座面部と、前記座面部の後方に立設された背凭れ部と、前記座面部の後方の前記座面部よりも低い位置から更に後方に向かって略水平に突設された足掛け手段と、を備えたことを特徴とする椅子。
【請求項２】
前記足掛け手段として、左右一対の足掛けバーを設けた請求項１記載の椅子。
【請求項３】
前記背凭れ部として、着座者の背中が通過可能な距離を隔てて前記座面部の後方に立設された支柱と、前記支柱間の前記着座者が握持可能な位置に略水平方向に配置された横框部材と、を設けたことを特徴とする請求項１または２記載の椅子。
【発明の詳細な説明】
【技術分野】
【０００１】
本発明は、開脚運動、屈伸運動あるいは柔軟運動などの体操用補助具及び一般的な腰掛け用具として使用可能な椅子に関する。
【背景技術】
【０００２】
椅子の形状をした体操用補助具やトレーニング器具については、従来、様々なアイデアが出されているが、本願発明に関連するものとして、例えば、特許文献１記載の「トレーニング器」がある。
【先行技術文献】
【特許文献】
【０００３】
【特許文献１】特開２００２−８５５８２号公報
【発明の概要】
【発明が解決しようとする課題】
【０００４】
特許文献１記載の「トレーニング器」は、多角的、総合的に筋肉などの鍛錬を行うことができる点では優れているが、構造及び機能が複雑であるため、使い方が難しい。また、一般的な腰掛け器具としての使用は考慮されていないので、使い勝手が良くない。
【０００５】
本発明が解決しようとする課題は、体操用補助具として使用可能であって、使い方も簡単な椅子を提供することにある。
【課題を解決するための手段】
【０００６】
本発明の椅子は、着座者の臀部を載置可能な座面部と、前記座面部の後方に立設された背凭れ部と、前記座面部の後方の前記座面部よりも低い位置から更に後方に向かって略水平に突設された足掛手段と、を備えたことを特徴とする。
【０００７】
このような構成とすれば、着座者は、通常と逆向きの姿勢、即ち、通常の着座姿勢から１８０度回転した姿勢で、背凭れ部を左右の大腿部で挟むようにして座面部に腰掛け、背凭れ部を左右の手で握るとともに、左右の足を足掛手段に係合させた姿勢をとることができる。この逆向き姿勢の状態で、例えば、着座者の上半身を背凭れ部に近づけるように左右の手に力を入れれば、臀部が背凭れ部に近づいて大腿部が左右に開かれるので、開脚体操を行うことができる。また、前記逆向き姿勢の状態で、上半身を背中側へ反らせたり、左右に曲げたりする体操を行うこともできる。従って、本発明の椅子は、体操用補助具として使用可能であり、使い方も簡単である。
【０００８】
ここで、前記足掛け手段として、左右一対の足掛けバーを設けることが望ましい。このような構成とすれば、着座者は簡単な動作で左右の足をそれぞれ前記足掛けバーに掛けることが可能となり、前記足掛けバーに対する足の掛け方も自由となる。
【０００９】
一方、前記背凭れ部として、着座者の背中が通過可能な距離を隔てて前記座面部の後方に立設された支柱と、前記支柱間の前記着座者が握持可能な位置に略水平方向に配置された横框部材と、を設けることが望ましい。
【００１０】
このような構成とすれば、着座者は、通常の姿勢（背中を背凭れ部に向けて座面部に臀部を載せた姿勢）で腰掛け、背中側に回した左右の手で横框を握った状態で、例えば、上半身を左右に傾けたり、前後に曲げたりする体操を行うことができるので、体操用補助具としての使い方の多様性が拡大する。
【発明の効果】
【００１１】
本発明により、体操用補助具として使用可能であって、使い方も簡単な椅子を提供することができる。
【図面の簡単な説明】
【００１２】
【図１】本発明の実施形態である椅子を示す斜視図である。
【図２】図１に示す椅子を斜め後方から見た斜視図である。
【図３】図１に示す椅子の平面図である。
【図４】図１に示す椅子の側面図である。
【図５】図１に示す椅子の使用状態を示す斜視図である。
【図６】図１に示す椅子の使用状態を示す斜視図である。
【図７】図１に示す椅子の使用状態を示す斜視図である。
【図８】図１に示す椅子の使用状態を示す斜視図である。
【図９】図１に示す椅子の使用状態を示す斜視図である。
【図１０】図１に示す椅子の使用状態を示す斜視図である。
【図１１】図１に示す椅子の使用状態を示す斜視図である。
【発明を実施するための形態】
【００１３】
図１〜図４に示すように、本実施形態の椅子１０は、着座者の臀部を載置可能な座面部１１と、座面部１１の後方に立設された背凭れ部１２と、座面部１１の後方の座面部１１よりも低い位置から更に後方に向かって略水平に突設された足掛けバー１３ｈ，１３ｍと、を備えている。平面視形状が台形状をした座面部１１は、その四隅部分から下方に延びた４本の支持脚１４ｈ，１４ｍ，１５ｈ，１５ｍによって略水平状態に保持されている。足掛け手段である足掛けバー１３ｈ，１３ｍは円柱形状をなし、座面部１１の後方に位置する支持脚１５ｈ，１５ｍから後方へ突設されている。隣り合う支持脚１４ｈ，１４ｍ，１５ｈ，１５ｍの間にはそれぞれ円柱形状の横桟１６ｈ，１６ｍ，１７ａ，１７ｂが取り付けられている。なお、本実施形態における「前」、「後」、「左」、「右」の文言はそれぞれ、椅子１０の背凭れ部１２に背中を向けて座面部１１に腰掛けた着座者２０（図１０参照）を基準にして表現したものである。
【００１４】
背凭れ部１２として、着座者の背中が通過可能な距離を隔てて座面部１１の後方に立設された左右一対の支柱１８ｈ，１８ｍと、支柱１８ｈ，１８ｍ間において着座者が握持可能な位置に略水平方向に配置された横框１９と、が設けられている。本実施形態では、支柱１８ｈ，１８ｍ及び横框１９は円柱形状であり、支柱１８ｈ，１８ｍはそれぞれ支持脚１５ｈ，１５ｍと同軸上で一体化している。図３に示すように、座面部１１は、その後方から前方に向かって横幅１１ｗが狭まった台形状をなしている。椅子１０の材料は限定しないので、木材、合成樹脂、金属あるいはその他の複合材料などを用いて形成することができる。
【００１５】
次に、図５〜図１１を参照しながら、椅子１０の使い方について説明する。なお、図５〜図１１に示す使用状態は例示であり、椅子１０の使い方を限定するものではない。
【００１６】
図５に示す使用状態においては、着座者２０が、椅子１０の背凭れ部１２を左右の太腿部２１ｈ，２１ｍで挟むようにして座面部１１に腰掛け、左右の手２３ｈ，２３ｍでそれぞれ支柱１８ｍ，１８ｈの上端付近を握り、左右の足２２ｈ，２２ｍをそれぞれ足掛けバー１３ｍ，１３ｈ（図２参照）に載せている。着座者２０の上半身を背凭れ部１２に近づけるような力を左右の手２３ｈ，２３ｍに加えれば、大腿部２１ｈ，２１ｍが左右に広がるので、開脚体操を行うことができる。また、図６に示すように、椅子１０の横框１９を左右の手２３ｈ，２３ｍで握り、左右両方の足２２ｈ，２２ｍを横桟１７ａに載せた状態にして開脚体操を行うこともできる。
【００１７】
一方、図７に示すように、椅子１０の横框１９を左右の手２３ｈ，２３ｍで握り、左右の足２２ｈ，２２ｍの甲部分をそれぞれ足掛けバー１３ｍ，１３ｈに引っ掛けた状態にして、開脚体操を行うこともできる。また、図８に示すように、椅子１０の横框１９を左右の手２３ｈ，２３ｍで握り、左右の足２２ｈ，２２ｍの第１指２７ｈ，２７ｍと第２指（図示せず）との間でそれぞれ横桟１６ｍ，１６ｈ（図２参照）を挟持した状態で足先の体操を行うこともできる。
【００１８】
次に、図７に示す状態から、着座者２０が上半身を反らせて図９に示す状態に移行することにより、背筋を伸ばす体操を行うこともできる。この場合、左右の足２２ｈ，２２ｍが足掛けバー１３ｍ，１３ｈに係合されていれば、上半身を反らせたときの着座者２０の大腿部２１ｈ，２１ｍ及び臀部２５が背凭れ部１２に近づき、重心も背凭れ部１２側へ移動するので、椅子１０が着座者２０の背面側へ傾いたり倒れたりすることがなく、安定性及び安全性に優れている。
【００１９】
また、図１０に示すように、通常の着座姿勢と同様、着座者２０が背中２６を背凭れ部１２に向けて座面部１１に臀部２５を載せ、背中２６側に回した左右の手２３ｈ，２３ｍで横框１９を握った状態で、上半身を左右に傾ける体操を行うことができる。この場合、背中２６に存在するツボを支柱１８ｈ，１８ｍの上端部に押し付ければ、指圧の効果を得ることができる。
【００２０】
さらに、図１１に示すように、着座者２０が背中２６を背凭れ部１２に向けて座面部１１に臀部２５を載せるとともに、左右の支柱１８ｈ，１８ｍ（図２参照）の間に上半身を入れた状態で上半身を反らせることにより、背筋を伸ばす体操を行うこともできる。
【００２１】
このように、椅子１０は、着座者２０の左右の足２２ｈ，２２ｍを足掛けバー１３ｍ，１３ｈや横桟１６ｍ，１６ｈ，１７ａに様々な形で係合させたり、左右の手２３ｈ，２３ｍで支柱１８ｍ，１８ｈや横框１９を握ったりした状態で身体を動かしたり、曲げたりすることにより、体操用補助具として好適に使用することができ、使い方も簡単である。
【００２２】
なお、椅子１０を使用していないとき、足掛けバー１３ｈ，１３ｍに躓いたり、ぶつかったりするのを回避するため、足掛けバー１３ｈ，１３ｍの部分に目立つ色彩や図柄を付したり、蛍光塗料を塗ったりすることもできる。また、椅子１０を普通の椅子として使用したり、収納したりする際に、足掛けバー１３ｈ，１３ｍが邪魔にならないようにするため、足掛けバー１３ｈ，１３ｍがそれぞれ支柱１８ｈ，１８ｍに着脱可能な構造としたり、足掛けバー１３ｈ，１３ｍの外径より大きな内径を有する円筒体で横桟１６ｈ，１６ｍを形成し、足掛けバー１３ｈ，１３ｍがそれぞれ長手方向にスライドして横桟１６ｈ，１６ｍ内に出し入れ可能な構造としたり、することもできる。
【産業上の利用可能性】
【００２３】
本発明は、一般家庭あるいは体操教室などにおいて広く利用することができる。
【符号の説明】
【００２４】
１０  椅子
１１  座面部
１２  背凭れ部
１３ｈ，１３ｍ  足掛けバー
１４ｈ，１４ｍ，１５ｈ，１５ｍ  支持脚
１６ｈ，１６ｍ，１７ａ，１７ｂ  横桟
１８ｈ，１８ｍ  支柱
１９  横框
【図１】
2012029911.tif 000003
【図２】
2012029911.tif 000004
【図３】
2012029911.tif 000005
【図４】
2012029911.tif 000006
【図５】
2012029911.tif 000007
【図６】
2012029911.tif 000008
【図７】
2012029911.tif 000009
【図８】
2012029911.tif 000010
【図９】
2012029911.tif 000011
【図１０】
2012029911.tif 000012
【図１１】
2012029911.tif 000013